(57)【要約】      （修正有）【課題】上段冷凍室への過剰な冷気流入を防止することにより省エネ性を高めた冷蔵庫の提供。【解決手段】上段冷凍室８と下段冷凍室９との間の仕切桟２０後方に下段冷気供給口２４（２４ａ）を設け、かつ、前記上下両冷凍室の間の仕切桟２０とこの仕切桟と対向する上段冷凍室ケース２１の前下部との間にシール部材を設けた構成としてある。これにより、下段冷気供給口からの冷気が仕切桟に衝突して当該仕切桟と上段冷凍室ケースの前下部との間より上段冷凍室ケース内へと流入するのを防止して、下段冷気供給口からの冷気を下段冷凍室ケース内の冷却用に効率よく使用でき、省エネ性を高め、上段冷凍室ケース内への過剰な冷気流入を防止して過冷却も防止できる。【選択図】図２
2016031186.tif 000002
【特許請求の範囲】
【請求項１】
冷蔵庫本体に上段冷凍室と下段冷凍室を設け、前記両冷凍室はこれら両室の間が連続していてその前部に仕切桟が設けてある冷蔵庫であって、前記上段冷凍室と下段冷凍室はそれぞれ上段冷凍室ケース及び下段冷凍室ケースを備えるとともに、前記仕切桟の後方部分には下段冷凍室ケースへ冷気を供給する下段冷気供給口を設け、かつ、前記仕切桟とこの仕切桟と対向する上段冷凍室ケースの前下部との間にはシール部材を設けた冷蔵庫。
【請求項２】
シール部材は上段冷凍室ケース側に設けた請求項１記載の冷蔵庫。
【請求項３】
シール部材は弾力性のある部材で形成した請求項１または２記載の冷蔵庫。
【請求項４】
上段冷凍室ケースの前下部に設けたシール部材の側方に剛性のある支持部材を設けた請求項３記載の冷蔵庫。
【請求項５】
上段冷凍室ケースはその上段冷凍室扉と対向する面を冷気通流用の透過孔のない無孔面とした請求項１〜４のいずれか１項記載の冷蔵庫。
【請求項６】
冷蔵庫本体に上段冷凍室と下段冷凍室を設け、前記両冷凍室はこれら両室の間が連続していてその前部に仕切桟が設けてある冷蔵庫であって、前記上段冷凍室と下段冷凍室はそれぞれ上段冷凍室ケース及び下段冷凍室ケースを備えるとともに、前記仕切桟の後方部分には下段冷凍室ケースへ冷気を供給する下段冷気供給口を設け、かつ、前記上段冷凍室ケースの上段冷凍室扉と対向する面は冷気通流用の透過孔のない無孔面とした冷蔵庫。
【発明の詳細な説明】
【技術分野】
【０００１】
本発明は冷蔵庫、特に、その冷凍室構成に関するものである。
【背景技術】
【０００２】
一般に冷蔵庫は複数の貯蔵室を備えており、その一つを冷凍室としている。この冷凍室は他の貯蔵室、例えば冷蔵室や野菜室等に比べその温度帯域が低いためこれら各貯蔵室との間は断熱性仕切板で区分けされている。
【０００３】
そして、このような冷蔵庫の中には、前記冷凍室を上段冷凍室と下段冷凍室の二室で構成したものが見られる。これら両冷凍室はその温度帯域が似通ったものであることから、上記両室の間には断熱性仕切板のような部材を設けることなくその前部に仕切桟を設けるだけとして構成の簡素化とコストダウンを図っている（例えば、特許文献１参照）。
【０００４】
図７は特許文献１の冷蔵庫を示し、その冷凍室１０１は上段冷凍室１０１ａと下段冷凍室１０１ｂから構成されており、これら両室の間はその前部に仕切桟１０２を設けただけで仕切板部材を廃止して構成の簡素化とコストダウンが図られている。
【０００５】
図中１０３は冷凍室１０１の背面に設けた冷却器、１０４は冷却ファン、１０５は上段冷凍室１０１ａへの冷気供給口、１０６は下段冷凍室１０１ｂへの冷気供給口、１０７は冷気戻り口、１０８は上段冷凍室ケース、１０９は下段冷凍室ケースである。
【先行技術文献】
【特許文献】
【０００６】
【特許文献１】特開２００９−２２２２７１号公報
【発明の概要】
【発明が解決しようとする課題】
【０００７】
上記従来の冷蔵庫は冷凍室の数を簡単かつ安価な構成で複数にすることができ、しかも各冷気供給口１０５，１０６からの冷気供給量を適宜設定しておくことによってその冷凍温度帯域を若干異なるものとすることができるという利点があり、冷凍食品を多用する今日にあっては主流タイプの冷蔵庫となっている。
【０００８】
しかしながら、上記従来の冷蔵庫の冷凍室１０１は、下段冷凍室ケース１０９内への冷気の一部が矢印Ｘで示すように上段冷凍室ケース１０８内へと流れ込んで下段冷凍室ケース１０９内の冷却に時間がかかり、省エネ性が低下する、という課題があった。
【０００９】
すなわち、上記冷凍室１０１は上段冷凍室１０１ａと下段冷凍室１０１ｂとの間に仕切板部材が存在していなくてこれら両室が連続した状態となっているため、下段冷凍室用の冷気供給口１０６から吹出した冷気の一部は仕切桟１０２に衝突するような形となって上下に分散し、仕切桟１０２と上段冷凍室ケース１０８の前下部との間から上段冷凍室ケース１０８内へと流れ込む。そのため下段冷凍室ケース１０９内を冷却するための冷気量が減少して下段冷凍室ケー１０９内の冷却に時間がかかり、その分省エネ性が低下するのであった。そして、この冷気の上段冷凍室ケース１０８内への流れ込みは、逆に上段冷凍室ケース１０８内を過冷却するということにも繋がっていた。
【００１０】
このような事象は、下段冷凍室１０１ｂの下段冷凍室ケース１０９内に多くの冷凍食品が収容されている時等に生じやすく、このような場合には冷気供給口１０６から下段冷凍
室ケース１０９内へと吹出した冷気の一部が下段冷凍室ケース１０９内の冷凍食品に衝突して反転上昇するような形となってその多くが前方へと流れ仕切桟１０２に衝突するようになり、仕切桟１０２と上段冷凍室ケース１０８の前面下部との間から上段冷凍室ケース１０８内へと流れ込むのであった。その結果、下段冷凍室ケース１０９内に入り込む冷気の量が少なくなって、上段冷凍室ケース１０８内よりも低温に設定される下段冷凍室ケース１０９内を所定温度まで冷却するのに時間がかかって省エネ性が低下し、しかも上段冷凍室ケース１０８内は逆に過冷却になってしまうというのであった。
【００１１】
また、これと同時に前記仕切桟１０２と上段冷凍室ケース１０８の前下部との間から上段冷凍室ケース１０８内へと流れ込む冷気が仕切桟１０２の前部上面や上段冷凍室ケース１０８の前方に位置する冷凍室扉１１０の内面に当って当該部分に霜として付着堆積し、冷凍室扉１１０を引き出した時にこれが目について使用者に不信感を抱かせる場合もあり、信頼性を低下させる、という問題もあった。
【００１２】
本発明はこのような点に鑑みてなしたもので、上段冷凍室への過剰な冷気流入を防止して冷蔵庫の省エネ性を高めることを目的としたものである。
【課題を解決するための手段】
【００１３】
本発明は、上記目的を達成するために、上段冷凍室と下段冷凍室の間が連続していてその前部に仕切桟が設けてある冷蔵庫であって、前記上段冷凍室と下段冷凍室はそれぞれ上段冷凍室ケース及び下段冷凍室ケースを備えるとともに、前記仕切桟の後方部分には下段冷凍室ケースへ冷気を供給する下段冷気供給口を備え、かつ、前記仕切桟とこの仕切桟と対向する上段冷凍室ケースの前下部との間にはシール部材を設けた構成としてある。
【００１４】
これにより、下段冷気供給口からの冷気が仕切桟に衝突するような形となって上下に分散しても当該冷気の一部が前記仕切桟と上段冷凍室ケースの前下部との間から上段冷凍室扉側を経て上段冷凍室ケース内へと流入するのを防止することができる。したがって、前記下段冷気供給口からの冷気は下段冷凍室ケース内の冷却に効率よく使用できて下段冷凍室ケース内を迅速に冷却することができる。しかも上段冷凍室ケース内へ余分な冷気が流れ込むのを防止できるので、上段冷凍室ケース内の過冷却も防止することができる。そして、これと同時に下段冷気供給口からの冷気が仕切桟と上段冷凍室ケースの前下部との間を通って仕切桟の前部上面や上段冷凍室ケース前方の上段冷凍室扉内面に霜として付着堆積することを防止することもできる。
【発明の効果】
【００１５】
本発明は、上下二段の冷凍室を備えていても、下段冷凍室用冷気供給口からの冷気が上下両冷凍室間の仕切桟と上段冷凍室ケースの前下部との間から上段冷凍室ケース内へと流入するのを防止できるので、下段冷凍室ケース内を効率よく冷却することができ、省エネ性が高く、かつ、上段冷凍室ケース内の過冷却も防止可能で霜付着による不信感を抱かせることのない冷蔵庫を提供することができる。
【図面の簡単な説明】
【００１６】
【図１】本発明の実施の形態１における冷蔵庫の断面図
【図２】同実施の形態１における冷蔵庫の冷凍室を示す拡大断面図
【図３】同実施の形態１における冷蔵庫の冷凍室要部を示す拡大断面図
【図４】同実施の形態１における冷蔵庫を示す図３の破線Ａ部分の拡大断面図
【図５】同実施の形態１における冷蔵庫の上段冷凍室ケースを裏面側から見た斜視図
【図６】同実施の形態２における冷蔵庫の冷凍室を示す拡大断面図
【図７】従来の冷蔵庫における冷凍室を示す断面図
【発明を実施するための形態】
【００１７】
第１の発明は、冷蔵庫本体に上段冷凍室と下段冷凍室を設け、前記両冷凍室はこれら両室の間が連続していてその前部に仕切桟が設けてある冷蔵庫であって、前記上段冷凍室と下段冷凍室はそれぞれ上段冷凍室ケース及び下段冷凍室ケースを備えるとともに、前記仕切桟の後方部分には下段冷凍室ケースへ冷気を供給する下段冷気供給口を設け、かつ、前記仕切桟とこの仕切桟と対向する上段冷凍室ケースの前下部との間にはシール部材を設けた構成としてある。
【００１８】
これにより、下段冷気供給口からの冷気が仕切桟に衝突するような形となって上下に分散しても当該冷気の一部が前記仕切桟と上段冷凍室ケースの前下部との間から上段冷凍室扉側を経て上段冷凍室ケース内へと流入するのを防止することができる。したがって、前記下段冷気供給口からの冷気は下段冷凍室ケース内の冷却に効率よく使用できて下段冷凍室ケース内を迅速に冷却することができ、省エネ性を高めることができる。しかも上段冷凍室ケース内へ余分な冷気が流れ込むのを防止できるので、上段冷凍室ケース内の過冷却も防止することができる。そして、これと同時に下段冷気供給口からの冷気が仕切桟と上段冷凍室ケースの前下部との間を通って仕切桟の前上面や上段冷凍室ケース前方の上段冷凍室扉内面に霜として付着堆積することを防止することもでき、使用者に不信感を抱かせることもなくすることができる。
【００１９】
第２の発明は、第１の発明において、前記シール部材は上段冷凍室ケース側に設けた構成としてある。
【００２０】
これにより、上段冷凍室扉を開いて上段冷凍室ケースを取り出した時、仕切桟にシール部材を設けた場合の様に当該シール部材が仕切桟上に見えて冷蔵庫に対する印象を低下させてしまうことを防止することができる。
【００２１】
第３の発明は、第１または第２の発明において、前記シール部材は弾力性のある部材で形成した構成としてある。
【００２２】
これにより、仕切桟と上段冷凍室ケースの前下部との間を確実にシールすることができ、省エネ性の向上と上段冷凍室ケース内の過冷却防止及び仕切桟の前上面や上段冷凍室扉内面への霜付着防止をより確実に実現することができる。
【００２３】
第４の発明は、第３の発明において、前記上段冷凍室ケースの前下部に設けたシール部材の側方に剛性のある支持部材を設けた構成としてある。
【００２４】
これにより、冷蔵庫の生産工程等で上段冷凍室ケースを積み重ねることがあっても、支持部材が積み重ねられるケース重量を支えるので、弾力性のある材料からなるシール部材が折れ曲がり癖づいてシール性が低下するのを防止できる。
【００２５】
第５の発明は、第１〜第４の発明において、前記上段冷凍室ケースはその上段冷凍室扉と対向する面を冷気通流用の透過孔のない無孔面とした構成としてある。
【００２６】
これにより、上段冷凍室ケース内の冷気が上段冷凍室ケースの上段冷凍室扉と対向する面の透過孔から扉側に流出してその部分に滞留し扉内面や仕切桟の前上面に霜となって付着することも防止できる。
【００２７】
第６の発明は、冷蔵庫本体に上段冷凍室と下段冷凍室を設け、前記両冷凍室はこれら両室の間が連続していてその前部に仕切桟が設けてある冷蔵庫であって、前記上段冷凍室と下段冷凍室はそれぞれ上段冷凍室ケース及び下段冷凍室ケースを備えるとともに、前記仕
切桟の後方部分には下段冷凍室ケースへ冷気を供給する下段冷気供給口を設け、かつ、前記上段冷凍室ケースの上段冷凍室扉と対向する面は冷気通流用の透過孔のない無孔面としたた構成としてある。
【００２８】
これにより、下段冷気供給口からの冷気が仕切桟に衝突して上向きに分散しても当該冷気が流れる上段冷凍室ケースの前面には冷気通流用の透過孔がないので上段冷凍室ケース内へと流入することなくその低温ドラフトにより下段冷凍室ケース内へと流下するようになる。したがって、下段冷気供給口からの冷気が上段冷凍室ケース内へと流入して上段冷凍室ケース内を過冷却するのを防止できると同時に、前記下段冷気供給口からの冷気を下段冷凍室ケース内の冷却用に効率よく使用して迅速に冷却し、省エネ性を高めることが可能となる。
【００２９】
以下、本発明の実施の形態について図面を用いて詳細に説明する。なお、この実施の形態によって本発明が限定されるものではない。
【００３０】
（実施の形態１）
図１は本発明の実施の形態１における冷蔵庫の断面図、図２は同実施の形態１における冷蔵庫の冷凍室を示す拡大断面図、図３は同実施の形態１における冷蔵庫の冷凍室要部を示す拡大断面図、図４は同実施の形態１における冷蔵庫を示す図３の破線Ａ部分の拡大断面図、図５は同実施の形態１における冷蔵庫の上段冷凍室ケースを裏面側から見た斜視図である。
【００３１】
図１〜図５において、本実施の形態に係る冷蔵庫は、前方を開口した冷蔵庫本体１を備え、この冷蔵庫本体１は、主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。冷蔵庫本体１は、断熱性の仕切板５．６によって複数の貯蔵室に区分されており、冷蔵庫本体１の最上部には冷蔵室７、その冷蔵室７の下部には上下二段の冷凍室８，９、更にその下部に野菜室１０が配置されていて、前記各貯蔵室の前面開口部は、観音開き式の冷蔵室扉１１、引出式の冷凍室扉１２ａ、１２ｂ、同引出式の野菜室扉１３によって開閉可能に閉塞されている。
【００３２】
また、冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３３】
また、前記冷蔵庫本体１の冷凍室背面には冷気を生成する冷却室１６が設けられており、冷却室１６からは各室に冷気を供給する冷気通路１７が形成されている。冷却室１６内には冷却器１８が配設されており、冷却器１８の上部には冷却ファン１９が配置されている。前記冷却ファン１９は、冷却器１８により生成された冷気を、冷気通路１７を介して、冷蔵室７、上段冷凍室８，下段冷凍室９、野菜室１０に強制循環させ各室を冷却する。例えば、冷蔵室７は通常食品が凍らない程度の温度１℃〜５℃に冷却し、野菜室１０は冷蔵室７と同等もしくは若干高めの温度２℃〜７℃に冷却している。また、上段冷凍室８は−１８℃〜−１６℃程度の冷凍室となっており、下段冷凍室９は上段冷凍室８よりも更に低い−２０℃〜−１８℃程度に冷却可能となっている。
【００３４】
また、図２に示すように、上記上段冷凍室８と下段冷凍室９は仕切板等で仕切られることなく連続形成されていて、これら両室の間の前部に仕切桟２０が位置する構成となっている。そして、これら両室には、上段冷凍室ケース２１と、上下二段のケースからなる下段冷凍室ケース２２が配置してあり、それぞれ上段冷凍室扉１２ａおよび下段冷凍室扉１２ｂとともに引出自在となっている。さらに、上記上段冷凍室８の背面上部には上段冷気
供給口２３が、下段冷凍室９の背面上部であって前記仕切桟２０の後方部分には上側下段冷気供給口２４ａが、そしてその下方には下側下段冷気供給口２４ｂが設けてあり、冷気通路１７からの冷気が上段冷気供給口２３、上側下段冷気供給口２４ａ、下側下段冷気供給口２４ｂを介して、上段冷凍室ケース２１内、及び下段冷凍室ケース２２の上側下段冷凍室ケース２２ａ及び下側下段冷凍室ケース２２ｂ内へと供給されるようになっている。なお、上記上側下段冷凍室ケース２２ａには上側下段冷気供給口２４ａからの冷気が、下側下段冷凍室ケース２２ｂには下側下段冷気供給口２４ｂからの冷気が供給される。
【００３５】
そして、この冷蔵庫では、前記仕切桟２０と当該仕切桟２０と対向する上段冷凍室ケース２１の前下部との間にシール部材２５を設けて、当該上段冷凍室ケース２１の前下部と仕切桟２０との間をシールしている。
【００３６】
上記シール部材２５は、図４に示すように、樹脂製の基板２５ａにゴムなどの軟質で弾力性のある材料からなる帯状のリップ２５ｂを植設して形成してあり、基板２５ａを上段冷凍室ケース２１の前下部底面にビス等で固定して取り付けてある。そして、前記リップ２５ｂが仕切桟２０の上面後部に設けた凸部２０ａに圧接する様になっている。
【００３７】
また、前記上段冷凍室ケース２１の前下部底面に取付けたシール部材２５の両側部分には、図５に示すように、上段冷凍室ケース２１に一体形成等によって剛性のある支持部材２６が設けてある。
【００３８】
以上のように構成された冷蔵庫について、以下その動作、作用を説明する。
【００３９】
まず、冷蔵庫全体の冷却動作について簡単に説明しておく。冷却室１６内で生成された低温の冷気は、冷却ファン１９によって、冷気通路１７から冷蔵室７と上段冷凍室８及び下段冷凍室９に送られ、冷蔵室７に供給された冷気は冷蔵室７を冷却した後、野菜室１０に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、冷蔵室温度検知手段及び冷凍室温度検知手段（いずれも図示せず）の検出温度に基づき圧縮機１５と冷却ファン１９を運転／停止、及び冷蔵室ダンパ、冷凍室ダンパ（いずれも図示せず）を開・閉制御し、それぞれの室が設定温度帯に維持されるようになっている。
【００４０】
次に、前記上段冷凍室８及び下段冷凍室９の冷却動作について説明する。上段冷凍室８はその上段冷凍室ケース２１内に上段冷気供給口２３からの冷気が供給されて冷却され、下段冷凍室９はその上側下段冷凍室ケース２２ａ内に上側下段冷気供給口２４ａからの冷気が、また下側下段冷凍室ケース２２ｂ内に下側下段冷気供給口２４ｂからの冷気が供給されて冷却される。
【００４１】
ここで、上記下段冷凍室９の上側下段冷気供給口２４ａからの冷気及び下側下段冷気供給口２４ｂからの冷気、特に上側下段冷気供給口２４ａからの冷気は、既述したように上側下段冷凍室ケース２２ａ内に多くの冷凍食品（一点鎖線で示す）が収容されている場合等はこの冷凍食品に衝突して反転上昇し、そのまま前方へと流れて仕切桟２０の後端面に衝突し、上下に分散するような形となる場合がある。
【００４２】
この時、上方に分散した冷気は、前記仕切桟２０と上段冷凍室ケース２１の前下部との間がシール部材２５によってシールされているので、当該仕切桟２０と上段冷凍室ケース２１の前下部との間から上段冷凍室扉１２ａ内面側を経て上段冷凍室ケース２１内へと流入するようなことが防止される。そしてこの冷気は上段冷凍室ケース２１の底面に当って反転下降し、上側下段冷凍室ケース２２ａ及び下側下段冷凍室ケース２２ｂ内に入り、こ
れら各ケース内の冷凍食品の冷却に供されることになる。
【００４３】
したがって、上側下段冷凍室ケース２２ａ及び下側下段冷凍室ケース２２ｂ内の冷凍食品は上側下段冷気供給口２４ａ及び下側下段冷気供給口２４ｂからの冷気によって効率よく冷却さることになり、短時間で所定温度まで冷却することができて、省エネ性を高めることができる。また、上段冷凍室ケース２１内に前記上側下段冷気供給口２４ａ及び下側下段冷気供給口２４ｂからの冷気の流れ込みが抑制されるため、上段冷凍室ケース２１内を過冷却するのを防止できる。
【００４４】
また、前記仕切桟２０部分で上方に分散した冷気が仕切桟２０と上段冷凍室ケース２１の前下部との間から上段冷凍室扉１２ａの内面側に流れ込むことがなくなるので、この上段冷凍室扉１２ａの内面や仕切桟２０の前上面に冷気が霜となって付着堆積することもなくなる。
【００４５】
更に、この実施の形態では、前記シール部材２５は上段冷凍室ケース２１の前下部底面に設けてあるから、上段冷凍室扉１２ａを開いて上段冷凍室ケース２１を引き出した時、仕切桟２０にシール部材を設けた場合には当該シール部材が見えて冷蔵庫に対する印象を低下させてしまうが、このようなことを防止することができる。
【００４６】
加えて、前記シール部材２５は弾力性のある部材で形成してあるから、仕切桟２０と上段冷凍室ケース２１の前下部との間を確実にシールすることができ、前記した省エネ性の向上と上段冷凍室ケース２１内の過冷却防止及び仕切桟２０の前上面や上段冷凍室扉１２ａ内面への霜付着防止をより確実に実現することができる。
【００４７】
そして、更に前記上段冷凍室ケース２１の前下部底面に設けたシール部材２５の側方には剛性のある支持部材２６が設けてあるから、冷蔵庫の生産工程等で上段冷凍室ケース２１が積み重ねられたとしても、この支持部材２６が積み重ねられるケース重量を支える。したがって、シール部材２５のリップ２５ｂが軟質の弾力性材料で形成されていてもこのシール部材２５のリップ２５ｂが折れ曲がった状態で癖づいてシール性が低下するのを防止できる。
【００４８】
（実施の形態２）
図６は実施の形態２における冷蔵庫の冷凍室を示す拡大断面図である。この実施の形態２は、シール部材を設けることなく上段冷凍室ケース２１の上段冷凍室扉１２ａと対向する面を冷気通流用の透過孔のない無孔面としたものである。
【００４９】
その他の構成は前記実施の形態１と同様であり、同一部分には同一番号を附記して説明は省略する。
【００５０】
この実施の形態では、上側下段冷気供給口２４ａからの冷気が仕切桟２０に衝突して上向きに分流すると、その上向き冷気は仕切桟２０と上段冷凍室ケース２１の前下部との間から上段冷凍室扉１２ａと上段冷凍室ケース２１の前面との間に流れ込むが、上段冷凍室ケース２１の上段冷凍室扉１２ａと対向する前面は無孔面となっているので、この冷気が上段冷凍室ケース２１内へと流入するようなことがなくそのまま冷気自体が持つ低温ドラフトにより下段冷凍室ケース２２内へと流下するようになる。
【００５１】
したがって、上側下段冷気供給口２４ａからの冷気が上段冷凍室ケース２１内へと流入するのを防止でき、前記上側下段冷気供給口２４ａからの冷気を下段冷凍室ケース２２（上側下段冷凍室ケース２２ａ及び下側下段冷凍室ケース２２ｂ）内の冷却用に効率よく使用することができる。よって、上段冷凍室ケース２１内を過冷却するのを防止できるとと
もに、下段冷凍室ケース２２（上側下段冷凍室ケース２２ａ及び下側下段冷凍室ケース２２ｂ）内を短時間で冷却できて省エネ性を向上させることができる。
【００５２】
以上、本発明に係る冷蔵庫について、上記実施の形態を用いて説明したが、本発明は、これに限定されるものではない。
【００５３】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００５４】
例えば、本実施の形態では、下段冷凍室ケース２２は上側下段冷凍室ケース２２ａと下側下段冷凍室ケース２２ｂの二段式ケースのもので説明したが、これは下側下段冷凍室ケース２２ｂのみの一つのものであってもよいものである。そして、これに伴い下段冷気供給口２４も一つだけで良いものである。
【００５５】
また、シール部材２５は上段冷凍室ケース２１側に設けたが、これは仕切桟２０側に設けてもよいものである。
【００５６】
さらに、前記実施の形態２で説明した上段冷凍室ケース２１の前面を無孔面とする構成は、実施の形態２の下段冷凍室ケース２２に適用してもよいものであり、このように実施の形態１に適用すれば、上段冷気供給口２３から上段冷凍室ケース２１内に供給された冷気が上段冷凍室ケース２１の前面の透過孔から扉側に流出することを防止でき、効果的である。
【産業上の利用可能性】
【００５７】
以上のように本発明は、上下二段の冷凍室を備えていても、下段冷凍室用冷気供給口からの冷気が上下両冷凍室間の仕切桟と上段冷凍室ケースの前下部との間から上段冷凍室ケース内へと流入するのを防止することができるので、前記下段冷凍室ケース内を効率よく冷却することができ、省エネ性が高く、かつ、上段冷凍室ケース内の過冷却も防止可能で霜付着による不信感を抱かせることのない冷蔵庫を提供することができる。よって、家庭用および業務用など様々な種類および大きさの冷蔵庫等に適用できる。
【符号の説明】
【００５８】
１  冷蔵庫本体
２  外箱
３  内箱
４  発泡断熱材
５、６  仕切板
７  冷蔵室
８  上段冷凍室
９  下段冷凍室
１０  野菜室
１１  冷蔵室扉
１２ａ  上段冷凍室扉
１２ｂ  下段冷凍室扉
１３  野菜室扉
１４  機械室
１５  圧縮機
１６  冷却室
１７  冷気通路
１８  冷却器
１９  冷却ファン
２０  仕切桟
２０ａ  凸部
２１  上段冷凍室ケース
２２  下段冷凍室ケース
２２ａ  上側下段冷凍室ケース
２２ｂ  下側下段冷凍室ケース
２３  上段冷気供給口
２４  下段冷気供給口
２４ａ  上側下段冷気供給口
２４ｂ  下側下段冷気供給口
２５  シール部材
２５ａ  基板
２５ｂ  リップ
２６  支持部材
【図１】
2016031186.tif 000003
【図２】
2016031186.tif 000004
【図３】
2016031186.tif 000005
【図４】
2016031186.tif 000006
【図５】
2016031186.tif 000007
【図６】
2016031186.tif 000008
【図７】
2016031186.tif 000009